(57)【要約】【課題】  手および爪に飲食物のソース、油および調味料等の汚れが付着するのを防止し、飲食物を効率よく確実に掴むことを可能とする手掴み飲食用指カバーの提供。【解決手段】  シート本体２（１３）の左右両端にそれぞれ連接してシート状の折り返し部７，７（１７，１７）が形成される。折り返し部７，７（１７，１７）がシート本体２（１３）の上に折り返されると共に、折り返し部７，７（１７，１７）の上下両辺がシート本体２（１３）に接着されて、折り返し部７，７（１７，１７）とシート本体２（１３）との間に指が一本乃至二本入るポケット１０，１０（２０，２０）が形成されてなる。【選択図】      図２
2007321306.tif 000002
【特許請求の範囲】
【請求項１】
シート本体の左右両端にそれぞれ連接してシート状の折り返し部が形成され、前記折り返し部が前記シート本体に折り返されると共に、前記折り返し部の上下両辺が前記シート本体に接着されて、前記折り返し部と前記シート本体との間に指が一本乃至二本入るポケットが形成されてなる
ことを特徴とする手掴み飲食用指カバー。
【請求項２】
前記シート本体が左翼部と右翼部とが連接して構成されており、前記左翼部と前記右翼部とはいずれも延伸方向が上方に傾斜して形成され、かつ、延伸方向の交叉角が親指と人差し指の開き角にほぼ等しく形成されてなる
ことを特徴とする請求項１に記載の手掴み飲食用指カバー。
【請求項３】
前記シート本体が前記左翼部と前記右翼部とが連接して構成されており、前記左翼部と前記右翼部とは、延伸方向が左右方向に向いて形成され、かつ、前記シート本体の中央部の上下幅が幅狭に形成されてなる
ことを特徴とする請求項１に記載の手掴み飲食用指カバー。
【請求項４】
前記シート本体と前記折り返し部が一枚のシートから形成されており、シートが滑り止め層と不通油層とを積層して構成されており、ポケットの内面側に滑り止め層が、ポケットの外面側に不通油層が位置するように形成されてなる
ことを特徴とする請求項１から請求項３までのいずれかに記載の手掴み飲食用指カバー。
【発明の詳細な説明】
【技術分野】
【０００１】
この発明は、手掴み飲食用指カバーに関するものである。主に、手掴みで飲食する際、手および爪に飲食物のソース、油および調味料等の汚れが付着するのを防止し、飲食物を効率よく確実に掴む手掴み飲食用指カバーに関するものである。
【背景技術】
【０００２】
手掴みで飲食する際、直接手で取るか、または、ペーパーナプキンやティッシュペーパーが使用される。一般に家庭および飲食店において使用されるペーパーナプキンおよびティッシュペーパーは、一枚の紙片を折り畳んだものである。この折り畳まれたペーパーナプキンおよびティッシュペーパーを手と飲食物の間に位置して飲食物を掴み、口に運んでいる。
【０００３】
また、飲食物を包んでいる包み紙を利用して、手と飲食物の間に包み紙が位置するようにして飲食物を掴み、口に運んでいる。
【発明の開示】
【発明が解決しようとする課題】
【０００４】
しかしながら、飲食物を直接手で取って口に運ぶ際、飲食物のソース、油および調味料等の汚れが手および爪に付着する。このため、汚れを拭き取らないと、使用する箸、ナイフ、フォークおよびスプーンまたは着衣等に汚れが付着する。さらに、飲食物に直接手が触れるため、衛生面でも問題がある。したがって、飲食物を直接手で取って口に運ぶたびに汚れを拭き取らなければならなく、面倒であった。
【０００５】
また、手と飲食物の間に、ペーパーナプキン、ティッシュペーパーまたは飲食物を包んでいる包み紙を位置するようにして飲食物を掴み、口に運ぶ。このとき、ペーパーナプキン、ティッシュペーパーまたは飲食物を包んでいる包み紙と手とが接触している部分の摩擦抵抗が弱いために滑ってしまう。このため、ペーパーナプキン、ティッシュペーパーまたは飲食物を包んでいる包み紙を手と飲食物との間に位置することが困難である。また、飲食物を確実に掴むこともできない。さらに、ペーパーナプキン、ティッシュペーパーまたは飲食物を包んでいる包み紙は紙片を折り畳んだだけなので、手の平側の面に沿わず、飲食物を確実に掴むことができない。したがって、飲食物を着衣および床等に落としてしまい、飲食物が食べられなくなってしまうだけでなく、掃除および洗濯等の後片付けまでしなければならなかった。また、指に適合しにくいため、多数枚のペーパーナプキンを使用する原因となっていた。
【０００６】
この発明が解決しようとする課題は、手および爪に飲食物のソース、油および調味料等の汚れが付着するのを防止し、飲食物を効率よく確実に掴むことを可能とする手掴み飲食用指カバーを提供することにある。
【課題を解決するための手段】
【０００７】
この発明は、前記課題を解決するためになされたもので、請求項１に記載の発明は、シート本体の左右両端にそれぞれ連接してシート状の折り返し部が形成され、前記折り返し部が前記シート本体の上に折り返されると共に、前記折り返し部の上下両辺が前記シート本体に接着されて、前記折り返し部と前記シート本体との間に指が一本乃至二本入るポケットが形成されてなることを特徴とする手掴み飲食用指カバーである。
【０００８】
請求項２に記載の発明は、前記シート本体が左翼部と右翼部とが連接して構成されており、前記左翼部と前記右翼部とはいずれも延伸方向が上方に傾斜して形成され、かつ、延伸方向の交叉角が親指と人差し指の開き角にほぼ等しく形成されてなることを特徴とする手掴み飲食用指カバーである。
【０００９】
請求項３に記載の発明は、前記シート本体が前記左翼部と前記右翼部とが連接して構成されており、前記左翼部と前記右翼部とは、延伸方向が左右方向に向いて形成され、かつ、前記シート本体の中央部の上下幅が幅狭に形成されてなることを特徴とする手掴み飲食用指カバーである。
【００１０】
さらに、請求項４に記載の発明は、前記シート本体と前記折り返し部が一枚のシートから形成されており、シートが滑り止め層と不通油層とを積層して構成されており、ポケットの内面側に滑り止め層が、ポケットの外面側に不通油層が位置するように形成されてなることを特徴とする手掴み飲食用指カバーである。
【発明の効果】
【００１１】
この発明によれば、手および爪に飲食物のソース、油および調味料等の汚れが付着するのを防ぐことを可能とする。さらに、シート本体に指を収納するポケットが形成されているので、ペーパーナプキン、ティッシュペーパーまたは飲食物を包んでいる包み紙を手と飲食物の間に位置する必要がなく、装着し易い。また、シート本体を二層構造とすることで飲食物を確実に掴むことを可能とする。このため、飲食物を着衣および床等に落としてしまい、飲食物が食べられなくなってしまうことがない。さらに、掃除および洗濯等の後片付けも必要としないなど飲食物を効率よく確実に掴むことを可能とする手掴み飲食用指カバーを提供することができる。
【発明を実施するための最良の形態】
【００１２】
以下、この発明の具体的実施例を図面に基づいて詳細に説明する。
【実施例１】
【００１３】
図１は、本発明の手掴み飲食用指カバー１の実施例１を示す図であり、展開した状態を示す図である。図２は、実施例１の手掴み飲食用指カバー１を示す斜視図である。
【００１４】
図１に示すように、シート本体２は、左翼部５と右翼部６とが中央から左右方向に延伸して一体形成されている。図１および図２に示すように、左翼部５と右翼部６とには各々折り返し部７，７が一体形成されている。折り返し部７，７がシート本体２の上面に折り返し線を介して折り返される。折り返し部７，７とシート本体２とは、折り返し部７，７の上辺部８，８と下辺部９，９とがシート本体２に接着されることにより、ポケット１０，１０が形成される。左翼部３と右翼部４とに各々一個ずつ形成されるポケット１０，１０は、人差し指と中指とが第二関節まで収納可能な幅と長さを有する。シート本体２は、一方のポケット１０に親指を、他方のポケット１０に人差し指と中指とを収納して装着した際、指先がポケットの底部に接触する長さを有する。また、左翼部５および右翼部６と各々の折り返し部７，７は連接して形成されてもよい。
【００１５】
左翼部５と右翼部６とは、いずれも延伸方向が左右方向に向いて形成されているところ、好ましくは、延伸方向が上方に傾斜して形成されているのがよい。左翼部５と右翼部６との間の角が、親指と人差し指とを十分に開いた角度とほぼ等しく形成されているのが好ましく、このような角度とされることにより、指を内側に曲げたとき、手の平側に沿ってしわができ難い。ほぼ等しい角度としては、１４０°から１６０°であるのは好ましく、１５０°であるのがより好ましい。シート本体２は、左翼部５と右翼部６とを別々に形成し、接着などによって連接して形成してもよい。この場合においても、左翼部５と右翼部６との間の角は親指と人差し指を開いた角度にほぼ等しく形成されているのが好ましく、１４０°から１６０°の間であるのが好ましく、１５０°であるのがより好ましい。
【００１６】
このように形成されることにより、手掴み飲食用指カバー１は、親指を一方のポケット１０に、人差し指および中指を他方のポケット１０に各々収納して装着することを可能とする。さらに、手の平側の面にぴったりと沿い、親指と人差し指および中指との間の空間が大きく形成され、かつ、親指と人差し指および中指との開閉が可能となり、飲食物１１を確実に掴むことを可能とする。
【００１７】
図３に示すように、シート本体２および折り返し部７，７は、滑り止め層３と不通油層４とを積層して構成されている。滑り止め層３はポケット１０，１０の内面側に、不通油層４はポケット１０，１０の外面側に位置するように形成されている。滑り止め層３には不織布が用いられ、不通油層４にはフィルムが用いられている。滑り止め層３と不通油層４とに用いられる材料は、これに限定されるものではなく、同一の性質を有する薄膜状であれば適宜変更可能である。
【００１８】
このように形成されることにより、飲食物１１のソース、油および調味料等の汚れが、手掴み飲食用指カバー１を浸透して手および爪に付着するのを防止する。さらに、手掴み飲食用指カバー１と手とが接触している部分の摩擦抵抗が強くなり、手掴み飲食用指カバー１が手に沿い、不測に外れることがなく飲食物１１を確実に掴むことを可能とする。
【００１９】
このような構成であるから、図５に示すように、手掴み飲食用指カバー１において、親指を一方のポケット１０に、人差し指および中指を他方のポケット１０に各々収納して装着可能となる。このため、手および爪に飲食物１１のソース、油および調味料等の汚れが付着するのを防止し、図６に示すように、飲食物１１を確実に掴むことが可能となる。また、手掴み飲食用指カバー１は、左右どちらの手にも装着可能である。
【実施例２】
【００２０】
次に、本発明の実施例２について説明する。図４は、本発明の手掴み飲食用指カバー１２の実施例２を示す斜視図である。
【００２１】
図４に示すように、シート本体１３は、左翼部１４と右翼部１５とが一体形成されて連接されており、左翼部１４と右翼部１５とは、延伸方向が左右方向に向いて形成されている。シート本体１３の中央部分の上端部と下端部とに、三角形状の切り欠き部１６が形成され、シート本体１３の中央部分の上下幅が幅狭に形成されている。中央部分の上下幅が幅狭に形成されることにより、左翼部１４と右翼部１５の上下方向の相対角度を変え易く、中央部分におけるしわが生じ難くなる。シート本体１３は、左翼部１４と右翼部１５とが別体で作成したものを接着するなどして連接して形成されてもよい。この場合においても、シート本体１３の中央部分の上端部と下端部とに、三角形状の切り欠き部１６が形成されるなどして、シート本体１３の中央部分の上下幅が幅狭に形成されている。上下幅を幅狭に形成するために切り欠き部を形成するのが、左翼部１４と右翼部１５の面積を広く確保する上で好ましいが、切り欠きに代えて、中央部分において漸次幅狭になるよう形成してもよい。このようにする場合は、中央部分で破れ難くなるので好ましい。
【００２２】
実施例２は実施例１と同様に、左翼部１４と右翼部１５とには各々折り返し部１７，１７が一体形成されている。折り返し部１７，１７がシート本体１３の表面上に折り返されると共に、上辺および下辺において接着される。折り返し部１７，１７とシート本体１３とは、折り返し部１７，１７の上辺部１８，１８と下辺部１９，１９とが接着されることにより、ポケット２０，２０が形成される。左翼部１４と右翼部１５とに各々一個ずつ形成されるポケット２０，２０は、人差し指と中指とを一緒にして第二関節まで収納可能な幅と長さを有する。シート本体１３は、一方のポケット２０に親指を、他方のポケット２０に人差し指と中指とを収納して装着し、親指と人差し指とを一杯に開いた際、指先がポケットの底部に接触する長さとするのが好ましい。また、シート本体１３の左翼部１４および右翼部１５と各々の折り返し部１７，１７は、別体で形成したものを接着などにより連接して形成してもよい。
【００２３】
このように、手掴み飲食用指カバー１２のポケットを指が一本乃至二本入る大きさとしたことにより、親指を一方のポケット２０に、人差し指および中指を他方のポケット２０に各々収納して装着することを可能とし、しかも、手の平側の面に沿い、親指と人差し指および中指との間に空間が形成され、かつ、親指と人差し指および中指との開閉が可能となり、飲食物１１を確実に掴むことを可能とする。しかも、シートからシート本体１３と同一形状のものを容易に多数形成することを可能とし、作業性が向上する。
【００２４】
シート本体１３は、滑り止め層２１と不通油層２２とを積層して構成されている。滑り止め層２１はポケット２０，２０の内面側に、不通油層２２はポケット２０，２０の外面側に位置するように形成されている。滑り止め層２１には不織布が用いられ、不通油層２２にはフィルムが用いられている。滑り止め層２１には、和紙なども好適に用いられ、不通油層２２として、コーティング層とすることもできる。
【００２５】
このように形成されることにより、飲食物１１のソース、油および調味料等の汚れが、手掴み飲食用指カバー１２を浸透して手および爪に付着するのを防止する。さらに、手掴み飲食用指カバー１２と手とが接触している部分の摩擦抵抗が強くなり、手掴み飲食用指カバー１２が手に沿い、飲食物１１を確実に掴むことを可能とする。
【００２６】
このような構成であるから、実施例１と同様に、手掴み飲食用指カバー１２において、親指を一方のポケット２０に、人差し指および中指を他方のポケット２０に各々収納して装着可能となる。このため、手および爪に飲食物１１のソース、油および調味料等の汚れが付着するのを防止し、飲食物１１を確実に掴むことが可能となる。また、手掴み飲食用指カバー１２は、左右どちらの手にも装着可能である。
【００２７】
なお、本発明の手掴み飲食用指カバー１（１２）は、実施例１および実施例２の構成、形状等に限らず、適宜変更可能である。例えば、図７に示されるように、手掴み飲食用指カバー１（１２）のポケット外側端部２３を半円状に形成してもよい。また、図８に示されるように、人差し指と中指とを収納する方のポケット１０（２０）のポケット外側端部２３において、中央部を滑らかな凹形状に形成し、ポケット１０（２０）の左右幅を幅狭に形成してもよい。また、ポケット１０，１０（２０，２０）、左翼部５（１４）および右翼部６（１５）の表面に広告を表示する広告表示部を設けることも可能であり、これにより、広告効果を生じさせることができる。
【図面の簡単な説明】
【００２８】
【図１】本発明の手掴み飲食用指カバーの実施例１を示す展開図である。
【図２】本発明の手掴み飲食用指カバーの実施例１を示す斜視図である。
【図３】本発明の手掴み飲食用指カバーのポケット部分を示す縦断面図である。
【図４】本発明の手掴み飲食用指カバーの実施例２を示す斜視図である。
【図５】本発明の手掴み飲食用指カバーを装着し、指が収納された状態を示す、本発明の手掴み飲食用指カバーのみを切断した縦断面図である。
【図６】本発明の手掴み飲食用指カバーの使用状態を示す斜視図である。
【図７】本発明の手掴み飲食用指カバーの別の実施例を示す図であり、ポケット部分の正面図である。
【図８】本発明の手掴み飲食用指カバーの別の実施例を示す図であり、ポケット部分の正面図である。
【符号の説明】
【００２９】
１  手掴み飲食用指カバー
２  シート本体
３  滑り止め層
４  不通油層
５  左翼部
６  右翼部
７  折り返し部
１０  ポケット
１６  切り欠き部
【図１】
2007321306.tif 000003
【図２】
2007321306.tif 000004
【図３】
2007321306.tif 000005
【図４】
2007321306.tif 000006
【図５】
2007321306.tif 000007
【図６】
2007321306.tif 000008
【図７】
2007321306.tif 000009
【図８】
2007321306.tif 000010